【事件の表示】
　特願２００８−５５５９１１「画像ファイルの生成方法とその方法のためのデジタルカメラ」拒絶査定不服審判事件〔平成１９年　８月３０日国際公開、ＷＯ２００７／０９６８０１、平成２１年　７月３０日国内公表、特表２００９−５２７９６９〕について、次のとおり審決する。
【結　論】
　本件審判の請求は、成り立たない。
【理　由】
第１　経緯 
１．手続 
　本願は、平成１９年２月８日（パリ条約による優先権主張２００６年２月２３日、欧州特許庁）を国際出願日とする出願であって、手続の概要は以下のとおりである。
　
　拒絶理由通知　　　　　　　：平成２４年　２月１０日（起案日）
　意見書　　　　　　　　　　：平成２４年　５月１６日
　拒絶査定　　　　　　　　　：平成２４年　６月　４日（起案日）
　拒絶査定不服審判請求　　　：平成２４年１０月　９日
　
２．査定 
　原査定の理由は、概略、以下のとおりである。 
　
　本願の請求項１ないし請求項４に係る発明は、下記の刊行物に記載された発明に基いて当業者が容易に発明をすることができたものであるから、特許法第２９条第２項の規定により、特許を受けることができない。
　　　　　　　　　　　　　記（刊行物） 
　刊行物１：国際公開第２００５／１２５１８３号公報
　刊行物２：特開２００６−３３３５３号公報
　刊行物３：特開２００４−２５４１３１号公報（査定時に周知例として引用）
　
第２　本願発明
　本願の請求項１ないし請求項４に係る発明は、本願明細書、特許請求の範囲及び図面の記載からみて、それぞれ、その特許請求の範囲の請求項１ないし請求項４に記載した事項により特定されるとおりのものであるところ、そのうち、請求項１に係る発明（以下「本願発明」という。）は、以下のとおりのである。 
　
　（ｉ）写真又はビデオクリップに対応する画像データを、生成し、且つ、格納する、ステップと、
　（ｉｉ）受信したＧＰＳ信号をサンプリングし、且つ、ＧＰＳ生データとしての得られたＧＰＳ信号サンプルを、格納する、ステップと、
　（ｉｉｉ）前記画像データと前記ＧＰＳ生データとの両方を含む、単一のファイルを生成するステップと、
　を備える、画像ファイル生成方法。
　
第３　当審の判断
１．刊行物の記載
　原査定の拒絶の理由に引用された刊行物１である国際公開第２００５／１２５１８３号公報（以下「引用例」という。）には、“METHOD AND APPARATUS FOR TAGGING DIGITAL PHOTOGRAPHS WITH GEOGRAPHIC LOCATION DATA”（デジタル写真に地理的位置データを記述したタグを付けるための方法および装置）に関し、図面と共に次に掲げる事項が記載されている。（訳文は、刊行物１に対応する特表２００８−５０３１９１号公報の記載が訳文として概ね適切であるので、この公報から該当部分を抜粋・転記した。）
　
（ア）“1. A digital camera, comprising: an imaging unit for generating digital photographs; a front end for receiving satellite positioning system signals and generating digital samples therefrom; and a memory for storing a set of digital samples generated by said front end with each digital photograph generated by said imaging unit.”（１９頁２行〜７行）
訳文：「【請求項１】
　デジタル写真を生成する撮像ユニットと、
　衛星測位システム信号を受信し、その信号からデジタルサンプルを生成するフロントエンドと、
　前記フロントエンドによって生成された一組のデジタルサンプルを、前記撮像ユニットによって生成されたそれぞれのデジタル写真とともに記憶するメモリと、
を備えるデジタルカメラ。」
　
（イ）“12. A method, comprising: generating one or more digital photographs at a digital camera; generating one or more sets of digital samples from a plurality of satellite positioning system signals at said digital camera; and respectively storing said one or more sets of digital samples with said one or more digital photographs in a memory.”（２０頁２９行〜２１頁２行）
訳文：「【請求項１２】
　デジタルカメラにおいて１つ以上のデジタル写真を生成するステップと、
　前記デジタルカメラにおいて複数の衛星測位システム信号から１つ以上の組のデジタルサンプルを生成するステップと、
　前記１つ以上の組のデジタルサンプルを、それぞれ、前記１つ以上のデジタル写真とともにメモリに記憶するステップと、
を備える方法。」
　
（ウ）“SUMMARY OF THE INVENTION
［0010］A method and apparatus for tagging digital photographs with geographic location data is described. In one example, a digital camera (100) includes an imaging unit (102), a radio frequency/intermediate frequency (RF/IF) front end (112), and a memory (106). The imaging unit (102) is configured to generate digital photographs. The RF/IF front end (112) is configured to receive satellite positioning system signals and generate digital samples therefrom. The memory (106) is configured to store a set of digital samples generated by the RF/IF front end (112) with each digital photograph generated by the imaging unit (102). The digital samples produced by the RF/IF front end (112) may be intermediate frequency samples and may include both in-phase samples and quandrature samples. Notably, the memory (106) stores digital samples of GPS signals, rather than location data. The digital GPS samples may be processed by an off-line processing unit, such as a computer (300), to produce location data.”(３頁１８行〜３１行)
訳文：「【発明の概要】
【００１０】
[0010]デジタル写真に地理的位置データを記述したタグを付けるための方法および装置が説明される。一実施形態においては、デジタルカメラは、撮像ユニット、無線周波数／中間周波数（ＲＦ／ＩＦ）フロントエンド、およびメモリを含む。撮像ユニットは、デジタル写真を生成するように構成される。ＲＦ／ＩＦフロントエンドは、衛星測位システム信号を受信し、その信号からデジタルサンプルを生成するように構成される。メモリは、ＲＦ／ＩＦフロントエンドによって生成された一組のデジタルサンプルを、撮像ユニットによって生成されたそれぞれのデジタル写真とともに記憶するように構成される。ＲＦ／ＩＦフロントエンドによって生成されたデジタルサンプルは、中間周波数サンプルであってもよく、また、同相サンプルおよび直交サンプルの両方を含んでもよい。特に、メモリは、位置データではなく、ＧＰＳ信号のデジタルサンプルを記憶する。デジタルＧＰＳサンプルは、位置データを生成するために、コンピュータのようなオフライン処理ユニットによって処理されてもよい。」
　
（エ）“DETAILED DESCRIPTION OF THE INVENTION
[0019] A method and apparatus for tagging digital photographs with geographic location data is described. One or more aspects of the invention are described with respect to a digital camera capable of capturing still digital photographs. Those skilled in the art will appreciate, however, that the invention may be adapted for use with other types of digital cameras, such as digital video cameras and the like.
[0020] FIG. 1 is a block diagram depicting an exemplary embodiment of a digital camera 100 constructed in accordance with one or more aspects of the invention. The digital camera 100 includes an imaging unit 102, a control unit 104, memory 106, a data port 108, a clock 110, a GPS front end 112, an antenna 116, and a user interface 114. Data and control interfaces of the imaging unit 102 are coupled to the control unit 104. The imaging unit 102 may comprise a conventional charge-coupled device (CCD) array for producing electronic image data. Data and control interfaces of the GPS front end 112 are coupled to the control unit 104. The GPS front end 112 generates digital samples of GPS signals received via the antenna 116. An exemplary embodiment of the GPS front end 112 is shown in FIG. 2. The control unit 104 may comprise a microprocessor, an instruction-set processor (e.g., microcontroller), or like type processing element known in the art. Alternatively, the control unit 104 may comprise discrete circuitry, logic embedded in an integrated circuit (IC), such as an application specific integrated circuit (ASIC), or logic configured in a programmable logic device (PLD), such as a field programmable gate array (FPGA).
[0021] Interfaces of the control unit 104 are coupled to the data port 108, the user interface 114, and the memory 106. The data port 108 is configured to provide external access to the memory 106 through the control unit 104. Alternatively, the data port 108 may be configured with direct access to the memory 106. In either case, the data port 108 may comprise any of the various wired or wireless communications ports known in the art, such as a serial port, a universal serial bus (USB) port, an IEEE 1394 Firewire port, an infrared port (e.g., Infrared Data Association (IrDA) port), and a radio frequency (RF) port (e.g., BLUETOOTH port). The user interface 114 is configured to receive commands from a user of the digital camera 100. Notably, the user interface 114 includes a shutter button 115 for causing the capture of a digital photograph. The memory 106 may include one or more of random access memory (RAM), magneto-resistive read/write memory, optical read/write memory, cache memory, magnetic read/write memory, and the like. Notably, the memory 106 may comprise flash memory, as is well known in the art.”（５頁１行〜６頁７行）
訳文：「【発明の詳細な説明】
【００１３】
[0019]デジタル写真に地理的位置を記述したタグを付けるための方法および装置が説明される。本発明の１つ以上の態様が、デジタルスチール写真を撮ることのできるデジタルカメラに関して説明される。しかしながら、当業者には、本発明がデジタルビデオカメラなどのような、その他の種類のデジタルカメラとともに使用されるように適合されてもよいことがわかる。
【００１４】
　[0020]図１は、本発明の１つ以上の態様に基づいて構成された例示的な実施形態によるデジタルカメラ１００を示すブロック図である。デジタルカメラ１００は、撮像ユニット１０２、制御ユニット１０４、メモリ１０６、データポート１０８、クロック１１０、ＧＰＳフロントエンド１１２、アンテナ１１６、およびユーザインタフェース１１４を含む。撮像ユニット１０２のデータおよび制御インタフェースは、制御ユニット１０４に結合される。撮像ユニット１０２は、電子画像データを生成する一般的な電荷結合素子（ＣＣＤ）アレイを備えてもよい。ＧＰＳフロントエンド１１２のデータおよび制御インタフェースは、制御ユニット１０４に結合される。ＧＰＳフロントエンド１１２は、アンテナ１１６を介して受信されたＧＰＳ信号のデジタルサンプルを生成する。例示的な実施形態によるＧＰＳフロントエンド１１２が図２に示される。制御ユニット１０４は、マイクロプロセッサー、命令セットプロセッサー（例えば、マイクロコントローラ）、または、当分野において既知であるこれらに類似する種類の処理エレメントを備えてもよい。あるいは、制御ユニット１０４は、ディスクリート回路、特定用途向け集積回路（ＡＳＩＣ）のような集積回路（ＩＣ）に内蔵されたロジック、または、フィールドプログラマブルゲートアレイ（ＦＰＧＡ）のようなプログラマブルロジックデバイス（ＰＬＤ）内において構成されたロジックを備えてもよい。
【００１５】
[0021]制御ユニット１０４のインタフェースは、データポート１０８、ユーザインタフェース１１４、およびメモリ１０６に結合される。データポート１０８は、制御ユニット１０４を介してメモリ１０６へ外部からアクセスすることを提供するように構成される。あるいは、データポート１０８は、メモリ１０６に直接にアクセスするように構成されてもよい。いずれの場合においても、データポート１０８は、シリアルポート、ユニバーサルシリアルバス（ＵＳＢ）ポート、ＩＥＥＥ１３９４ＦｉｒｅＷｉｒｅポート、赤外線ポート（例えば、赤外線通信協会（ＩｒＤＡ）ポート）、および無線周波数（ＲＦ）ポート（例えば、ＢＬＵＥＴＯＯＴＨポート）のような当分野において既知である様々な有線通信ポートまたは無線通信ポートのいずれかから構成されてもよい。ユーザインタフェース１１４は、デジタルカメラ１００のユーザからコマンドを受信するように構成される。特に、ユーザインタフェース１１４は、デジタル写真を撮ることを引き起こすためのシャッターボタン１１５を含む。メモリ１０６は、１つ以上のランダムアクセスメモリ（ＲＡＭ）、磁気抵抗読み込み／書き込みメモリ、光学的読み込み／書き込みメモリ、キャッシュメモリ、磁気的読み込み／書き込みメモリなどを含んでもよい。特に、メモリ１０６は、当分野において既知であるフラッシュメモリから構成されてもよい。」
　
（オ）“[0023] The electronic image data defining the digital photograph is stored within the memory 106 via the data interface of the imaging unit 102 and the control unit 104. Alternatively, the electronic image data may be directly coupled to the memory 106 from the imaging unit 102. Digital signal samples of the GPS signals are stored within the memory 106 via the data interface of the GPS front end 112 and the control unit 104. Alternatively, the digital signal samples may be directly stored within the memory 106 from the GPS front end 112.”（６頁１９行〜２５行）
訳文：「【００１７】
 [0023]デジタル写真を定義する電子画像データは、撮像ユニット１０２のデータインタフェースおよび制御ユニット１０４を介してメモリ１０６内に記憶される。あるいは、電子画像データは、撮像ユニット１０２からメモリ１０６に直接に結合されてもよい。ＧＰＳ信号のデジタル信号サンプルは、ＧＰＳフロントエンド１１２のデータインタフェースおよび制御ユニット１０４を介してメモリ１０６内に記憶される。あるいは、デジタル信号サンプルは、ＧＰＳフロントエンド１１２からメモリ１０６内に直接に記憶されてもよい。」
　
（カ）“[0027] Returning to FIG. 1 , in response to a control signal from the control unit 104, the GPS front end 112 may be configured to capture digital samples over a particular time period to generate a set of digital samples. The time period may be predefined (e.g., a default time period) or may be set via the control signal from the control unit 104 (e.g., user selected time period). For example, the GPS front end 112 may capture several hundred milliseconds of data (e.g., 250 milliseconds). Each set of digital samples may be associated with a digital photograph captured by the imaging unit 102. Thus, the memory 106 may store pairs of a digital photograph and a set of digital samples. Notably, the GPS front end 112 only generates samples of GPS signals, and does not locate position of the digital camera 100. To locate position, the samples produced by the GPS front end 112 may be processed at a later time by an off-line processing device, such as a computer.”（７頁２７行〜８頁８行）
訳文：「【００２１】
[0027]図１に戻ると、制御ユニット１０４からの制御信号に応じて、ＧＰＳフロントエンド１１２は、一組のデジタル信号を生成するために、特定の時間にわたってデジタルサンプルを捕獲するように構成されてもよい。時間は、予め定義されてもよく（デフォルトの時間）、あるいは、制御ユニット１０４からの制御信号を介して設定されてもよい（例えば、ユーザが選択した時間）。例えば、ＧＰＳフロントエンド１１２は、数百ミリ秒（例えば、２５０ミリ秒）のデータを捕獲してもよい。デジタルサンプルのそれぞれの組は、撮像ユニット１０２によって撮られたデジタル写真に対応づけられてもよい。したがって、メモリ１０６は、デジタル写真と一組のデジタルサンプルとからなる対を記憶してもよい。特に、ＧＰＳフロントエンド１１２は、ＧＰＳ信号のサンプルを生成するだけであり、デジタルカメラ１００の位置を突き止めることはしない。位置を突き止めるために、ＧＰＳフロントエンド１１２によって生成されたサンプルは、その後に、コンピュータのようなオフライン処理装置によって処理されてもよい。」
　
（キ）“[0029] FIG. 4 is a flow diagram depicting an exemplary embodiment of a process 400 for tagging digital photographs with geographic location data in accordance with one or more aspects of the invention. Aspects of the process 400 may be understood with reference to FIG. 1. The process 400 begins at step 402. At step 404, a digital photograph is captured by the imaging unit 102 of the digital camera 100. At step 406, a set of digital samples of GPS signals is captured by the GPS front end 112 of the digital camera 100. The GPS signal samples may be complex samples or narrow-band samples. The steps 404 and 406 may be performed contemporaneously. At step 408, the digital photograph and the corresponding set of digital samples are stored in the memory 306. At step 410, a determination is made as to whether more digital photographs are to be captured. If so, the process 400 returns to step 404 and repeats. Otherwise, the process 400 proceeds to end step 412.”（８頁１８行〜３０行）
訳文：「【００２３】
 [0029]図４は、本発明の１つ以上の態様に基づいて、デジタル写真に地理的位置データを記述したタグを付けるための処理４００の例示的な実施形態を示すフローチャートである。処理４００の態様は、図１を参照して理解されてもよい。処理４００は、ステップ４０２において開始する。ステップ４０４において、デジタル写真が、デジタルカメラ１００の撮像ユニット１０２によって撮られる。ステップ４０６において、ＧＰＳ信号の一組のデジタルサンプルが、デジタルカメラ１００のＧＰＳフロントエンド１１２によって捕獲される。ＧＰＳ信号サンプルは、複素数サンプルまたは狭帯域サンプルであってもよい。ステップ４０４および４０６は、同時に実行されてもよい。ステップ４０８において、デジタル写真およびそれに対応する一組のデジタルサンプルは、メモリ３０６に記憶される。ステップ４１０において、さらに多くのデジタル写真が撮られるべきかどうかに関する決定がなされる。撮られるのであれば、処理４００は、ステップ４０４に戻り、反復する。撮らないのであれば、処理４００は、終了ステップ４１２に進む。」
　
“
”
“
”
　
２．引用発明
（ア）引用例の前掲（ア）ないし（キ）によると、引用例には「デジタルカメラの撮像ユニットによってデジタル写真（画像データ）を生成するステップ」が記載されている。
　
（イ）引用例の前掲（ア）ないし（キ）によると、引用例には「衛星測位システム信号を受信し、その信号からデジタル（ＧＰＳ）サンプルを生成するステップ」が記載されている。
　
（ウ）引用例の前掲（ア）ないし（キ）によると、引用例には、「デジタル写真（画像データ）とデジタル（ＧＰＳ）サンプルをメモリに記憶するステップ」が記載されているが、特に、前掲（エ）段落[0021]の“The memory 106 may include one or more of random access memory (RAM), magneto-resistive read/write memory, optical read/write memory, cache memory, magnetic read/write memory, and the like. Notably, the memory 106 may comprise flash memory, as is well known in the art.”(「メモリ１０６は、１つ以上のランダムアクセスメモリ（ＲＡＭ）、磁気抵抗読み込み／書き込みメモリ、光学的読み込み／書き込みメモリ、キャッシュメモリ、磁気的読み込み／書き込みメモリなどを含んでもよい。特に、メモリ１０６は、当分野において既知であるフラッシュメモリから構成されてもよい。」)との記載からみて、この「メモリ」は「フラッシュメモリ」であり、前掲（カ）段落[0027]の“Each set of digital samples may be associated with a digital photograph captured by the imaging unit 102. Thus, the memory 106 may store pairs of a digital photograph and a set of digital samples.”(「デジタルサンプルのそれぞれの組は、撮像ユニット１０２によって撮られたデジタル写真に対応づけられてもよい。したがって、メモリ１０６は、デジタル写真と一組のデジタルサンプルとからなる対を記憶してもよい。」)との記載からみて「デジタル写真と一組のデジタルサンプルとからなる対を記憶し」ているから、結局、引用例には「デジタル写真（画像データ）とデジタル（ＧＰＳ）サンプルとからなる対をフラッシュメモリに記憶するステップ」が記載されている。
　
（エ）以上によれば、引用例には、以下の発明（以下「引用発明」という。）が記載されていると認められる。 
　
　（ｉ）デジタルカメラの撮像ユニットによってデジタル写真（画像データ）を生成するステップと、
　（ｉｉ）衛星測位システム信号を受信し、その信号からデジタル（ＧＰＳ）サンプルを生成するステップと、
　（ｉｉｉ）デジタル写真（画像データ）とデジタル（ＧＰＳ）サンプルとからなる対をフラッシュメモリに記憶するステップと、
　を備える方法。
　
３．対比 
　本願発明と引用発明とを対比すると次のことが認められる。 
　
（ａ）「写真又はビデオクリップに対応する画像データを、生成し、且つ、格納する、ステップ」について　
　本願発明の「写真又はビデオクリップ」は、デジタルカメラ１０によって撮った画像データといえるところ（本願明細書の【請求項３】，段落【０００３】【００１１】【図１】の記載参照）、引用発明の「デジタル写真」も、デジタルカメラ１００の撮像ユニット１０２によって撮られたものであり（引用例の前掲（エ）ないし（キ），図１の記載参照）、引用発明の「デジタル写真」と、本願発明の「写真又はビデオクリップ」に違いはない。
　そして、引用発明は「デジタルカメラの撮像ユニットによってデジタル写真（画像データ）を生成するステップ」であるから、引用発明と本願発明は「写真又はビデオクリップに対応する画像データを、生成する、ステップ」を有する点で一致しているが、本願発明は「写真又はビデオクリップに対応する画像データを、生成」した上で「格納する」のに対し、引用発明は「デジタルカメラの撮像ユニットによってデジタル写真（画像データ）を生成する」に留まる点で相違する。
　
（ｂ）「受信したＧＰＳ信号をサンプリングし、且つ、ＧＰＳ生データとしての得られたＧＰＳ信号サンプルを、格納する、ステップ」について
　引用発明は「衛星測位システム信号を受信」するものであるから、引用発明の「衛星測位システム信号」は、本願発明の「受信したＧＰＳ信号」と一致する。また、引用発明の「デジタル（ＧＰＳ）サンプル」は、ＲＦ／ＩＦフロントエンドによって生成された（位置データではない）ものであり（引用例の前掲（ウ），（エ）の記載参照）、本願発明でいう「ＧＰＳ生データとしての得られたＧＰＳ信号サンプル」と一致する。
　そして、引用発明は「衛星測位システム信号を受信し、その信号からデジタル（ＧＰＳ）サンプルを生成するステップ」であるから、引用発明と本願発明は「受信したＧＰＳ信号をサンプリングし、且つ、ＧＰＳ生データとしての得られたＧＰＳ信号を」得る点で一致しているが、本願発明は、受信したＧＰＳ信号をサンプリングし、且つ、ＧＰＳ生データとしての得られたＧＰＳ信号サンプルを「格納する」のに対し、引用発明は衛星測位システム信号を受信し、その信号からデジタル（ＧＰＳ）サンプルを生成することに留まる点で相違する。
　
（ｃ）「前記画像データと前記ＧＰＳ生データとの両方を含む、単一のファイルを生成するステップ」について
　引用発明は「デジタル写真（画像データ）とデジタル（ＧＰＳ）サンプルとからなる対をフラッシュメモリに記憶するステップ」を有するものであって、「フラッシュメモリ」に記憶されるデータは通常ファイルとして記憶されるものであるから、引用発明と本願発明は「前記画像データと前記ＧＰＳ生データのファイルを生成するステップ」という点で一致しているが、この画像データとＧＰＳ生データについて、引用発明はファイルの「対を」生成するのに対し、本願発明は「両方を含む、単一のファイル」を生成する点で相違する。
　
（ｄ）「画像ファイル生成方法」について
　上記（ｃ）でも述べたように、引用発明も、デジタルカメラによって撮ったデジタル写真（画像データ）をフラッシュメモリに記憶しており、「フラッシュメモリ」に記憶されるデータは通常ファイルとして記憶されるものであるから、引用発明と本願発明は「画像ファイル生成方法」という点で一致している。
　
４．一致点・相違点 
　以上の対比（ａ）ないし（ｄ）の対比結果を踏まえると、本願発明と引用発明との［一致点］・［相違点］は以下のとおりである。　　 
　
［一致点］ 
　（ｉ）写真又はビデオクリップに対応する画像データを、生成する、ステップと、
　（ｉｉ）受信したＧＰＳ信号をサンプリングし、且つ、ＧＰＳ生データとしての得られたＧＰＳ信号を得る、ステップと、
　（ｉｉｉ）前記画像データと前記ＧＰＳ生データのファイルを生成するステップと、　
　を備える、画像ファイル生成方法。
　
［相違点］
(1)　本願発明は、受信したＧＰＳ信号をサンプリングし、且つ、ＧＰＳ生データとしての得られたＧＰＳ信号サンプルを「格納する」のに対し、引用発明は衛星測位システム信号を受信し、その信号からデジタル（ＧＰＳ）サンプルを生成することに留まる点。
(2)　画像データとＧＰＳ生データについて、引用発明はファイルの「対を」生成するのに対し、本願発明は「両方を含む、単一のファイル」を生成する点。
　
５．相違点の判断 
［相違点］について
(1)　何らかのデータを生成する過程で、そのデータの元となるデータを一旦メモリに格納した上で、それを読み出し、読み出したデータから最終的に必要となるデータを生成することは、例を挙げるまでもなく極めて良く行われていることにすぎず、引用発明において、写真又はビデオクリップに対応する画像データを、生成した
後に、メモリに格納し
後に、メモリに格納した
(2)　一般に、デジタルカメラで撮影した画像データなどと、その画像データなどに関連するデータを、画像データなどのファイルに含むようにしたり、あるいは画像データなどと対応付けた「対」として別に格納することは、いずれもごく普通に知られている（この点必要ならば、特開２００５−１５０８４１号公報の段落【００１８】の記載、及び特開２００２−２４２７０号公報の段落【００３６】【００３７】および【図４】【図５】の記載参照）。
　そして、このように関連する情報を一つのファイルにまとめることによって、情報の取り扱いは容易となるから、同様の理由によって、引用発明において、デジタル写真（画像データ）と、そのデジタル写真（画像データ）に対応するデジタル（ＧＰＳ）サンプルを対として格納する代わりに、本願発明のように、デジタル写真（画像データ）の一つ（単一）のファイルに、デジタル（ＧＰＳ）サンプルを含むようにすることは当業者が容易に想到し得たことにすぎない。
　すなわち本願発明のように、前記画像データと「前記ＧＰＳ生データとの両方を」含む、単一のファイルを生成することは当業者が容易に想到し得たことにすぎない。
　
６．効果等について
　以上のように、相違点にかかる構成は、当業者が容易に想到できたものである。そして、本願発明の構成は、上記のように当業者が容易に想到できたものであるところ、本願発明が奏する効果は、その容易想到である構成から当業者が容易に予測しうる範囲内のものであり、同範囲を超える顕著なものでもない。
　
　したがって、本願発明は引用発明及び周知技術に基いて当業者が容易に発明をすることができたものである。
　
第４　むすび 
　以上のように、本願の請求項１に係る発明は、刊行物１に記載された発明及び周知技術に基いて当業者が容易に発明をすることができたものであるから、特許法第２９条第２項の規定により特許を受けることができない。 
　
　したがって、残る請求項２ないし４に係る発明について検討をするまでもなく、本願は拒絶をすべきものである。 
　
　よって、結論のとおり審決する。